(57)【特許請求の範囲】
【請求項１】
錠付き戸棚と錠管理装置との間に錠管理通信手段を設け、錠管理装置が錠管理通信手段を通して錠付き戸棚の錠の施錠または解錠を行う手段を備え、錠管理装置と移動体通信端末装置との間に利用者通信手段を設け、錠管理装置が利用者通信手段を通して移動体通信端末装置から出される錠付き戸棚の施錠を行う施錠指令または解錠を行う解錠指令を受け付ける手段を備えたロッカーシステムにおいて、錠付き戸棚の利用を会員制とし、会員が使用する特定の電話番号によって検索可能な会員のデータベースを備え、前記の電話番号によって施錠者もしくは解錠者を特定する手段を備え、
さらに、会員が、想定される施錠者の電話番号によって錠付き戸棚の利用条件を予め会員のデータベースに登録しておき、施錠者が、該利用条件を問い合わせた結果に応じて所定の対応を行うことを可能ならしめる手段を備えるロッカーシステム。
【請求項２】
錠付き戸棚と錠管理装置との間に錠管理通信手段を設け、錠管理装置が錠管理通信手段を通して錠付き戸棚の錠の施錠または解錠を行う手段を備え、錠管理装置と移動体通信端末装置との間に利用者通信手段を設け、錠管理装置が利用者通信手段を通して移動体通信端末装置から出される錠付き戸棚の施錠を行う施錠指令または解錠を行う解錠指令を受け付ける手段を備えたロッカーシステムにおいて、錠付き戸棚の利用を会員制とし、会員が使用する特定のコードによって検索可能な会員のデータベースを備え、前記のコードによって施錠者もしくは解錠者を特定する手段を備え、
さらに、会員が、想定される施錠者のコードによって錠付き戸棚の利用条件を予め会員のデータベースに登録しておき、施錠者が、該利用条件を問い合わせた結果に応じて所定の対応を行うことを可能ならしめる手段を備えるロッカーシステム。
【請求項３】
会員が利用したい錠付き戸棚のアドレスを予めデータベースに登録する手段を有する請求項１または２に記載のロッカーシステム。
【請求項４】
前記利用条件として格納品の受け取りの諾否を含む請求項１、２または３に記載のロッカーシステム。
【請求項５】
前記利用条件として格納品の受け取り場所を含む請求項１、２、３または４に記載のロッカーシステム。
【発明の詳細な説明】
【０００１】
【発明の属する技術分野】
本発明は、駅やコンビニなどに設置され、ネットワークを通してサイバーベース上で錠を管理する錠付き戸棚に関する。
【０００２】
【従来の技術】
従来の電子ロッカーやネットワークを通してサイバーベース上で錠を管理する錠付き戸棚には、グループ内での品物の受け渡しや、物流業者と個人との間の品物の受け渡しのように異なる者の間で品物を受け渡す使い方の場合に、利用者の特定に手間がかかる、また、受け側が何時、何処で受け取りたいか、等の品物の送り側と受け側の都合を整合させられない問題があり、使い易さの点で普及の障害になっている。
【０００３】
【発明が解決しようとする課題】
従来の電子ロッカーやネットワークを通してサイバーベース上で錠を管理する錠付き戸棚に、利用者または利用者の代行者、また、錠付き戸棚に関わって品物の物流や商売を行う業者を会員として登録し、登録された情報を使うことによって、利用者が錠付き戸棚の予約／施錠／解錠等の行為を行う際の利用者の特定を容易にし、利用者の操作を簡略にする。また、受け取り拒否、受け取り場所の指定等の受け側の利用条件を予め登録することにより、送り側が前記の利用条件に合わせて品物を格納出来る錠付き戸棚が求められている。
【０００４】
そこで、第一の課題として、錠付き戸棚の施錠もしくは解錠の利用を会員制とし、会員が予約／施錠／解錠等に使用する移動体通信端末装置の電話番号等を予め会員のデータベースに登録し、予約／施錠／解錠等を行う時には会員のデータベースのデータにより施錠者もしくは解錠者を特定することによって予約／施錠／解錠等の操作を簡略にする手段が求められている。
【０００５】
また、第二の課題として、前記の会員のデータベースの中に、想定される施錠者の電話番号等に対して解錠者が該施錠者からの格納品を受け取るか否かの指定、また、解錠者が受け取る場所の指定等の利用条件を予め設定しておき、施錠者が前記の利用条件を問い合わせ、その結果に応じて施錠者が所定の対応を行うことを可能ならしめる手段が求められている。
【０００６】
本発明の目的は、上述した課題を解決するロッカーシステムを提供することにある。
【０００７】
【課題を解決するための手段】
本発明の［請求項１］のロッカーシステムは、錠付き戸棚と錠管理装置との間に錠管理通信手段を設け、錠管理装置が錠管理通信手段を通して錠付き戸棚の錠の施錠または解錠を行う手段を備え、錠管理装置と移動体通信端末装置との間に利用者通信手段を設け、錠管理装置が利用者通信手段を通して移動体通信端末装置から出される錠付き戸棚の施錠を行う施錠指令または解錠を行う解錠指令を受け付ける手段を備えたロッカーシステムにおいて、錠付き戸棚の利用を会員制とし、会員が使用する特定の電話番号によって検索可能な会員のデータベースを備え、前記の電話番号によって施錠者もしくは解錠者を特定する手段を備え、
さらに、会員が、想定される施錠者の電話番号によって錠付き戸棚の利用条件を予め会員のデータベースに登録しておき、施錠者が、該利用条件を問い合わせた結果に応じて所定の対応を行うことを可能ならしめる手段を備えている。
【０００８】
本発明の［請求項２］のロッカーシステムは、錠付き戸棚と錠管理装置との間に錠管理通信手段を設け、錠管理装置が錠管理通信手段を通して錠付き戸棚の錠の施錠または解錠を行う手段を備え、錠管理装置と移動体通信端末装置との間に利用者通信手段を設け、錠管理装置が利用者通信手段を通して移動体通信端末装置から出される錠付き戸棚の施錠を行う施錠指令または解錠を行う解錠指令を受け付ける手段を備えたロッカーシステムにおいて、錠付き戸棚の利用を会員制とし、会員が使用する特定のコードによって検索可能な会員のデータベースを備え、前記のコードによって施錠者もしくは解錠者を特定する手段を備え、
さらに、会員が、想定される施錠者のコードによって錠付き戸棚の利用条件を予め会員のデータベースに登録しておき、施錠者が、該利用条件を問い合わせた結果に応じて所定の対応を行うことを可能ならしめる手段を備えている。
【０００９】
本発明の［請求項３］のロッカーシステムは、会員が利用したい錠付き戸棚のアドレスを予めデータベースに登録する手段を有している。
【００１２】
本発明の［請求項４］のロッカーシステムは、前記利用条件として格納品の受取りの諾否を含んでいる。
【００１３】
本発明の［請求項５］のロッカーシステムは、前記利用条件として格納品の受け取り場所を含んでいる。
【００１４】
【発明の実施の形態】
以下、本発明の実施の形態について図面を参照し説明する。
【００１５】
図１は本発明の第一の実施の形態を説明するシステムの構成例を示すブロック図である。図５は錠付き戸棚の構造例を示す図である。
【００１６】
図１を参照すると、本発明によるロッカーシステムは、錠付き戸棚１０、錠管理装置２０、移動体通信端末装置３０、錠付き戸棚１０と錠管理装置２０との間の通信を行う錠管理通信手段、および、錠管理装置２０と移動体通信端末装置３０、または、固定電話６０との間の通信を行う利用者通信手段から構成される。
【００１７】
錠付き戸棚１０は、格納庫１０１、格納庫の扉１０４の施錠を行う電磁錠１０２、および、制御ユニット５０から構成される。錠付き戸棚１０には、通常、格納庫１０１と電磁錠１０２の組み合わせが複数個設けられる。格納庫１０１は、品物を入れるロッカーのボックスである。電磁錠１０２は制御ユニット５０から制御され格納庫の扉１０４を電気的に施錠／解錠する。
【００１８】
制御ユニット５０は情報処理機能と通信制御機能を備え、錠管理装置２０との間の通信を行う錠管理通信手段、および、前記の錠管理通信手段を通して錠管理装置２０から受け付けた指令にもとづき電磁錠１０２へ施錠、または、解錠の信号を送る機能を備えている。
【００１９】
錠管理装置２０は情報処理機能と通信制御機能を備え、錠付き戸棚１０の制御ユニット５０との間の通信を行う錠管理通信手段、移動体通信端末装置３０との間の通信を移動体通信基地局４０を介して行う利用者通信手段、および、錠付き戸棚１０を利用する会員の情報や錠付き戸棚１０の施錠／解錠に関係する情報などを記憶し前記情報の更新や検索等を行うデータベース２０１を備えている。
【００２０】
移動体通信端末装置３０には、携帯電話やＰＨＳ等の通信機器、また、携帯電話やＰＨＳ等の通信媒体を利用する端末装置で電子メールなどの非音声系通信が可能な機器が使用される。また、固定電話６０には、電子メールなどの非音声系通信を可能にした回線と機器が使用される。
【００２１】
錠管理通信手段は有線／無線通信、専用回線／公衆回線のいづれでもよい。また、利用者通信手段の非音声系通信は文字、記号、画像、および、音声などのディジタルデータを送受信可能なように構成する。
【００２２】
次に動作について説明する。
【００２３】
図４は本発明の錠付き戸棚１０の施錠から解錠までの基本の手順を例示しており、利用者が錠付き戸棚１０に品物を格納し施錠する場合は、利用者は利用可能な格納庫１０１を探し、または、あらかじめ使用するように指定されている格納庫１０１がある場合は、その格納庫１０１を探し、施錠指令を送信しようとする移動体通信端末装置３０から解錠者が使う移動体通信端末装置３０の電話番号などの解錠者が持つべき必要な条件と共に施錠指令を利用者通信手段を通して錠管理装置２０へ送信する（ステップＳ１、Ｓ２）。
【００２４】
錠管理装置２０は受信した前記の解錠者が持つべき必要な条件を記憶し（ステップＳ３）、錠管理通信手段を通して錠付き戸棚１０の制御ユニット５０へ該当する格納庫１０１を施錠する指令を送る（ステップＳ４）。
【００２５】
制御ユニット５０は受信した前記の施錠指令にもとづき該当する電磁錠１０２へ施錠の信号を送り施錠させる（ステップＳ５、Ｓ６）。
【００２６】
錠管理装置２０は前記の解錠者が持つべき必要な条件の中で指定された電話番号の移動体通信端末装置３０へ錠付き戸棚１０に品物が格納され施錠されたので解錠し品物を受け取るように促す解錠依頼電文を送信する（ステップＳ７）。
【００２７】
解錠者は解錠依頼電文を受信した移動体通信端末装置３０から解錠指令を利用者通信手段を通して錠管理装置２０へ送信する（ステップＳ８、Ｓ９、Ｓ１０）。
【００２８】
錠管理装置２０は受信した前記の解錠指令を施錠時に記憶した解錠者が持つべき必要な条件と照合し（ステップＳ１１）、解錠者の移動体通信端末装置３０の電話番号等が条件を満たしていれば錠管理通信手段を通して錠付き戸棚１０の制御ユニット５０へ該当する格納庫１０１を解錠する指令を送る（ステップＳ１２）。
【００２９】
制御ユニット５０は受信した前記の解錠指令にもとづき該当する電磁錠１０２へ解錠の信号を送り解錠させる（ステップＳ１３、Ｓ１４）。
【００３０】
以上の手順は、図４に限定されるものではなく、利用者の操作の容易化やシステムのセキュリティや可用性の目標レベルに合わせて、処理の追加／省略／変更が行われる。
【００３１】
本発明の第一の実施の形態においては、前記の動作に加えて、錠管理装置２０は情報処理機能の中の記憶機能を使用し錠付き戸棚１０を利用する会員のデータベース２０１を作成する。予め利用者が錠付き戸棚１０の予約／施錠／解錠等を行う際に使用する移動体通信端末装置３０の電話番号、名前、予約の際に指定する場所、解錠者の指定等の情報を送信すると、錠管理装置２０は前記のデータベース２０１に該情報を蓄積し、また、新たな情報が送信されると更新する。
【００３２】
図２および３は会員のデータベース２０１への登録、会員による錠付き戸棚１０の予約、会員による錠付き戸棚１０の施錠、および、会員による錠付き戸棚１０の解錠の操作の流れを例示している。
【００３３】
図２および３を参照すると、錠付き戸棚１０の利用者は、錠付き戸棚１０の利用に先立ち錠付き戸棚１０の会員登録を行う。会員登録は、錠付き戸棚１０の予約／施錠／解錠等を行う際に使用する移動体通信端末装置３０の電話番号、氏名、錠付き戸棚１０を予約する際に指定する場所、解錠者の指定等の情報を錠管理装置２０へ送信し（ステップＡ１）、錠管理装置２０は該情報を会員のデータベース２０１に登録する（ステップＡ２）ことによって前記の利用者は錠付き戸棚１０の利用会員になる。
【００３４】
会員登録した利用者が、錠付き戸棚１０を予約しようとするときは、利用者が会員のデータベースに電話番号を登録した移動体通信端末装置３０から錠管理装置２０へ予約指令を送信する（ステップＡ３）。錠管理装置２０は前記の移動体通信端末装置３０の発信者番号により会員のデータベース２０１を検索して利用者を特定し（ステップＡ４）、もし、利用者が予め自分が利用したい場所の錠付き戸棚１０のアドレスを会員のデータベース２０１で指定しておけば、錠管理装置２０は該データベース２０１の指定にもとづいて利用者が指定した場所の錠付き戸棚１０を予約する（ステップＡ５）。錠管理装置２０は利用者の移動体通信端末装置３０へ予約の結果を送信し利用者へ通知する（ステップＡ６、Ａ７）。
【００３５】
前記により会員登録した利用者が、錠付き戸棚１０を予約しようとするときは、利用者が移動体通信端末装置３０から錠管理装置２０へ予約指令を送信するだけでよく、予約時にいちいち、利用したい場所の情報を錠管理装置２０へ送信する煩わしさから解放され、錠付き戸棚１０を利用し易くなる。
【００３６】
会員である利用者が錠付き戸棚１０に品物を格納し施錠する場合は、利用者が会員のデータベース２０１に電話番号を登録した移動体通信端末装置３０から錠管理装置２０へ施錠指令を送信する（ステップＡ８）だけで、錠管理装置２０は前記の移動体通信端末装置３０の発信者番号をキーとしてデータベース２０１を検索して利用者を特定し（ステップＡ９）、錠付き戸棚１０へ施錠指令を送信する（ステップＡ１０）。
【００３７】
同様に、会員である利用者が錠付き戸棚１０を解錠し品物を受け取る場合は、利用者が会員データベースに電話番号を登録した移動体通信端末装置３０から錠管理装置２０へ解錠指令を送信する（ステップＡ１３）だけで、錠管理装置２０は前記の移動体通信端末装置３０の発信者番号をキーとしてデータベース２０１を検索して利用者を特定し（ステップＡ１４）、錠付き戸棚１０へ解錠指令を送信する（ステップＡ１５）。
【００３８】
前記のデータベース２０１には、施錠または解錠を代行する者が使用する移動体通信端末装置３０の電話番号、代行者が錠付き戸棚１０の利用に関して行える行為を限定する指定、錠付き戸棚１０の使用料の支払い方法の指定などの会員が錠付き戸棚１０を利用する上で必要になる条件や情報が登録される。
【００３９】
次に本発明の第二の実施の形態について説明する。
【００４０】
本発明によるロッカーシステムは、錠付き戸棚１０を利用する会員が、品物の受け取り側となる場合の利用条件を本発明の第一の実施の形態で説明したデータベース２０１の中に予め登録する機能と、品物の送り側が受け取り側となる会員の利用条件を錠管理装置２０へ問い合わせたとき、錠管理装置２０が該利用条件を通知する機能を備えて構成される。
【００４１】
前記の利用条件は、例えば、解錠に使用する移動体通信端末装置３０の電話番号、想定される施錠者毎に該施錠者が品物を格納した場合に受け取り側が該品物を受け取るか否かの指定、受け取る場合には何処の錠付き戸棚１０を使って受け取るかなどである。錠付き戸棚１０を利用する会員は、解錠に使用する移動体通信端末装置３０から前記の利用条件を予め錠管理装置２０へ送信し、錠管理装置２０は該利用条件を前記のデータベース２０１の中に登録する。
【００４２】
品物の送り側が錠付き戸棚１０に品物を格納し施錠する前に、受け取り側となる会員の利用条件を該会員が解錠に使用する移動体通信端末装置３０の電話番号等を用いて錠管理装置２０へ問い合わせると、錠管理装置２０は該電話番号等をキーにして会員のデータベース２０１を検索し、前記の送り側に対して受け取り側となる会員が登録している利用条件を通知する。
【００４３】
本発明により、品物の送り側は、錠付き戸棚１０を予約するとき、または、品物を格納し施錠するときに、受け側の利用条件を確認することができ、受け側の都合を考慮した送り側のアクションが可能になる。前記により、錠付き戸棚１０の利用が受け側主導になり、また、送り側にとっても状況に応じて無駄のない適正なアクションが可能になり、受け側と送り側の双方の利用効率を高めることが可能になる。
【００４４】
前記において、会員として登録した者は、前記の移動体通信端末装置３０と同様に固定電話６０の電話番号も会員のデータベース２０１に登録可能とし、施錠または解錠以外の行為は前記の固定電話６０からも可能とする。
【００４５】
以上、本発明の実施例について説明したが、錠付き戸棚１０の利用について例示した手順は本説明に限定されず、手順や処理内容を変更／省略／追加してもよい。会員を特定する手段は、電話番号でなく、名前や会員番号等のコードを使用してもよい。また、セキュリティ向上のための処理を加えて構成してもよい。また、会員として登録した者が、会員のデータベース２０１に電話番号を登録した固定電話６０を使用して行う施錠または解錠以外の行為は移動体通信端末装置３０から行うと同様に実行される。また、錠管理装置２０と制御ユニット５０との機能分担は前記の説明に限定されない。また、制御ユニット５０の設置位置は錠付き戸棚１０の内部に限定されない。また、前記の各装置の機能は一部を相互に通信可能な他の装置に代行させてもよい。また、前記の各装置や通信手段には信頼性と可用性の向上のためのバックアップ手段等を含めてもよい。
【００４６】
【発明の効果】
以上説明したように、本発明によれば、電子ロッカーやネットワークを通してサイバーベース上で錠を管理する錠付き戸棚が、利用者または利用者の代行者、また、錠付き戸棚に関わって品物の物流や商売を行う業者を会員として登録することにより利用し易くなる。また、錠付き戸棚の受け側主導の利用が可能になり、受け側と送り側の双方の利用効率を高めることが可能になるという効果がある。
【図面の簡単な説明】
【図１】本発明によるロッカーシステムの構成を例示するブロック図である。
【図２】本発明によるロッカーシステムの制御を例示する流れ図である。
【図３】本発明によるロッカーシステムの制御を例示する流れ図である。
【図４】ロッカーシステムの基本の制御を例示する流れ図である。
【図５】錠付き戸棚の構造例を示す外観構造図である。
【符号の説明】
１０    錠付き戸棚
２０    錠管理装置
３０    移動体通信端末装置
４０    移動体通信基地局
５０    制御ユニット
６０    固定電話
１０１    格納庫
１０２    電磁錠
１０４    格納庫の扉
２０１    データベース
【図１】
0003769499.tif 000002
【図２】
0003769499.tif 000003
【図３】
0003769499.tif 000004
【図４】
0003769499.tif 000005
【図５】
0003769499.tif 000006